(57)【要約】【課題】２種類のアンテナ入力を有する携帯型電子機器において、携帯型電子機器を実質的に据置型の機器として使用する場合に、別途放送信号の出力の切替手段を設けることなく、かつ、ユーザに切替を意識させずに出力を切り替え、安定した受信状態で放送信号を受信できるようにする。【解決手段】本発明の携帯型電子機器１００は、筐体１０１の内部への収納及び筐体１０１の外部への伸長が可能に設けられ第１の放送信号を受信する付属アンテナ１１０と、筐体１０１と接続された外部機器３０を介して第２の放送信号を受信する外部機器接続部１４０と、第１の放送信号又は第２の放送信号が入力されるチューナ部１２０と、を備え、付属アンテナ１１０を収納したときに付属アンテナ１１０が外部機器接続部１４０に接触し、付属アンテナ１１０を伸長したときに付属アンテナ１１０が外部機器接続部１４０から離反する。【選択図】図５
2009290740.tif 000002
【特許請求の範囲】
【請求項１】
筐体の内部への収納及び前記筐体の外部への伸長が可能に設けられ、第１の放送信号を受信する付属アンテナと、
前記筐体と接続された外部機器を介して、第２の放送信号を受信する外部機器接続部と、
前記付属アンテナにより受信された前記第１の放送信号又は前記外部機器接続部により受信された前記第２の放送信号が入力されるチューナ部と、
前記付属アンテナと前記チューナ部とを接続する付属アンテナ接続部と、
を備え、
前記付属アンテナは、一部又は全部が導体で形成され、
前記付属アンテナを前記筐体に収納したときに、前記付属アンテナが前記外部機器接続部に接触し、前記付属アンテナを前記筐体から伸長したときに、前記付属アンテナが前記外部機器接続部から離反する、携帯型電子機器。
【請求項２】
前記付属アンテナ接続部は、前記付属アンテナと前記チューナ部を常時接続している、請求項１に記載の携帯型電子機器。
【請求項３】
導体で形成され、前記付属アンテナを長さ方向に移動可能に保持するホルダをさらに備え、
前記付属アンテナ接続部は、前記付属アンテナを保持している前記ホルダと前記チューナ部とを接続し、
前記ホルダの位置は固定されている、請求項２に記載の携帯型電子機器。
【請求項４】
前記付属アンテナは、両端に、前記付属アンテナの前記ホルダからの離脱を防止するストッパを有する、請求項３に記載の携帯型電子機器。
【請求項５】
前記外部機器は、前記携帯型電子機器と接続されるクレードルである、請求項１に記載の携帯型電子機器。
【発明の詳細な説明】
【技術分野】
【０００１】
本発明は、付属アンテナによる入力と外部アンテナによる入力の２種類のアンテナ入力を有する携帯型電子機器に関する。
【背景技術】
【０００２】
近年、液晶ディスプレイパネルに加え、有機ＥＬディスプレイパネル等の小型化及び薄型が可能な表示パネルが急速に普及してきており、それに伴って、このような表示パネルを利用した小型の携帯型テレビジョン受像機や携帯電話機などの携帯型電子機器が市販されるようになってきている。特に、最近では、ワンセグメント放送（以下、「ワンセグ放送」という。）が開始されたことに伴い、ワンセグ放送を受信可能な携帯型電子機器も市販されている。このような携帯型電子機器においては、例えば、外出時など携帯して使用する場合には、長さ方向に伸縮可能なロッドアンテナのような付属アンテナを使用して放送信号を受信する。一方、在宅時など携帯の必要がない場合には、携帯型電子機器を専用の載置台（クレードル）に装着し、据置型の電子機器と同様な形態で使用することがある。
【０００３】
ここで、付属アンテナは、通常、携帯用としての用途が優先され、物理的制約が課されているため、ＶＨＦ（Ｖｅｒｙ  Ｈｉｇｈ  Ｆｒｅｑｕｅｎｃｙ）あるいはＵＨＦ（Ｕｌｔｒａ  Ｈｉｇｈ  Ｆｒｅｑｕｅｎｃｙ）テレビジョン放送信号等のテレビジョン放送信号に対するアンテナ性能は、家庭用の屋外アンテナ等の外部アンテナと比較してやや劣るものである。また、室内で付属アンテナを使用する場合は、建物によって電波が遮られ、安定した受信が困難になることも多い。
【０００４】
このことは、携帯型電子機器が、外出時などにおける携帯用途として使用され、放送信号の受信場所や受信環境が変化するような場合には、止むを得ないこととも考えられるが、在宅時などにクレードルに装着されて実質的に据置型の電子機器として使用される場合には、改善が望まれる。
【０００５】
これに対して、携帯型電子機器がクレードルなどの外部機器に装着された場合には、クレードルに設けられたコネクタ及びこれに接続された外部アンテナ入力用端子を介して、アンテナ性能に優れる外部アンテナにより受信された放送信号を、携帯型電子機器に供給することが提案されている（例えば、特許文献１及び２を参照）。この特許文献１及び２に記載された携帯型電子機器には、付属アンテナにより受信された放送信号と外部アンテナにより受信された放送信号とをＣＰＵで制御して選択的に取り出し、チューナ部に出力する信号を切り替える切替手段が設けられている。この場合、付属アンテナからの放送信号と外部アンテナからの放送信号を切り替えるタイミングとして、携帯型電子機器をクレードルに装着したら必ず、外部アンテナからの放送信号の出力に切り替えるという方式が採用されている。これにより、携帯型電子機器をクレードルに装着した場合には、携帯型電子機器のユーザは、放送信号の切替という行為を意識せずに、安定した受信状態の下で放送信号を得ることができる。
【０００６】
【特許文献１】特許第３８３５４４１号公報
【特許文献２】特許第３９７９３６３号公報
【発明の開示】
【発明が解決しようとする課題】
【０００７】
しかしながら、上記特許文献１及び２のように、携帯型電子機器をクレードルに装着したら必ず、外部アンテナからの放送信号の出力に切り替えると、クレードルに設けられたコネクタを外部アンテナからの入力を得るための端子（例えば、屋内配線端子）に接続していない場合でも、外部アンテナからの放送信号の出力が選択されてしまう。そのため、携帯型電子機器をクレードルに装着した場合には、付属アンテナによる放送信号の受信ができなくなってしまう、という問題があった。
【０００８】
この問題を解消するために、携帯型電子機器に、付属アンテナからの放送信号の出力と外部アンテナからの放送信号の出力とを選択する機械的なスイッチを設けたり、表示画面等に表示されたメニュー内で選択するソフトウェア的な選択手段を設けたりして、ユーザに選択可能なようにすることも考えられる。しかし、この場合には、携帯型電子機器のユーザが、放送信号の出力の選択操作を頻繁に行うこととなり煩わしい。
【０００９】
また、上記のような放送信号の出力の切替手段を設けた場合には、切替手段による出力の切替の際に、受信した放送信号の電波が減衰し、その分受信感度が低下してしまう、という問題もあった。
【００１０】
そこで、本発明は、このような問題に鑑みてなされたもので、付属アンテナによる入力と外部アンテナによる入力の２種類のアンテナ入力を有する携帯型電子機器において、携帯型電子機器を実質的に据置型の機器として使用する場合に、別途放送信号の出力の切替手段を設けることなく、かつ、ユーザに切替を意識させずに出力を切り替え、安定した受信状態で放送信号を受信できるようにすることを目的とする。
【課題を解決するための手段】
【００１１】
上記課題を解決するために、本発明のある観点によれば、筐体の内部への収納及び前記筐体の外部への伸長が可能に設けられ、第１の放送信号を受信する付属アンテナと、前記筐体と接続された外部機器を介して、第２の放送信号を受信する外部機器接続部と、前記付属アンテナにより受信された前記第１の放送信号又は前記外部機器接続部により受信された前記第２の放送信号が入力されるチューナ部と、前記付属アンテナと前記チューナ部とを接続する付属アンテナ接続部と、を備え、前記付属アンテナは、一部又は全部が導体で形成され、前記付属アンテナを前記筐体に収納したときに、前記付属アンテナが前記外部機器接続部に接触し、前記付属アンテナを前記筐体から伸長したときに、前記付属アンテナが前記外部機器接続部から離反する、携帯型電子機器が提供される。
【００１２】
ここで、前記付属アンテナ接続部は、前記付属アンテナと前記チューナ部を常時接続していてもよい。
【００１３】
また、前記携帯型電子機器は、導体で形成され、前記付属アンテナを長さ方向に移動可能に保持するホルダをさらに備えていてもよい。このとき、前記付属アンテナ接続部は、前記付属アンテナを保持している前記ホルダと前記チューナ部とを接続し、前記ホルダの位置は固定されていてもよい。
【００１４】
さらに、前記付属アンテナは、両端に、前記付属アンテナの前記ホルダからの離脱を防止するストッパを有していてもよい。
【００１５】
また、前記外部機器は、例えば、前記携帯型電子機器と接続されるクレードルであってもよい。
【００１６】
このような構成を有する本発明に係る携帯型電子機器においては、付属アンテナを筐体から外部に伸長させたときには、通常の放送信号を受信するアンテナとして機能し、付属アンテナを筐体内に収納したときには、外部アンテナにより受信された放送信号をチューナ部に供給するための導通路として機能する。従って、本発明に係る携帯型電子機器によれば、付属アンテナを筐体から伸長させたり筐体内に収納したりすることにより、付属アンテナにより受信された放送信号の出力と外部アンテナにより受信された放送信号の出力とを切り替えることができる。
【発明の効果】
【００１７】
本発明によれば、付属アンテナによる入力と外部アンテナによる入力の２種類のアンテナ入力を有する携帯型電子機器において、携帯型電子機器を実質的に据置型の機器として使用する場合に、別途放送信号の出力の切替手段を設けることなく、かつ、ユーザに切替を意識させずに出力を切り替え、安定した受信状態で放送信号を受信することが可能となる。また、本発明によれば、携帯型電子機器を実質的に据置型の機器として使用する場合でも、必要に応じて、ユーザ操作により放送信号の出力を切り替えることも可能となる。
【発明を実施するための最良の形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
（一般的な携帯型電子機器及びこれに接続される外部機器の構成について）
まず、図１〜図３を参照しながら、携帯型電子機器の一例としての一般的な携帯型テレビジョン受像機１０、この携帯型テレビジョン受像機１０に接続される外部機器の一例としてのクレードル３０の構成について説明する。なお、図１Ａは、一般的な携帯型テレビジョン受像機１０の構成を示す正面図であり、図１Ｂは、一般的な携帯型テレビジョン受像機１０の構成を示す底面図である。図２は、図１の携帯型テレビジョン受像機１０に接続されるクレードル３０の構成を示す斜視図である。図３は、図１の携帯型テレビジョン受像機１０を図２のクレードル３０に装着した状態を示す正面図である。
【００２０】
＜携帯型テレビジョン受像機１０の構成について＞
図１に示すように、携帯型テレビジョン受像機１０は、筐体１１と、ロッドアンテナ１２と、ディスプレイ１５と、スピーカ１６と、各種操作ボタンと、外部アンテナ端子２２と、電源用端子と、を主に備える。
【００２１】
筐体１１は、携帯型テレビジョン受像機１０の外装部分であり、略直方体の形状をしている。ロッドアンテナ１２は、筐体１１内に伸縮可能に設置されており、図１の例では、アンテナ軸１２Ａ、アンテナ軸１２Ｂ及びアンテナ軸１２Ｃからなる三段構造となっている。アンテナ軸１２Ａ、アンテナ軸１２Ｂ及びアンテナ軸１２Ｃは、軸径が１２Ａ、１２Ｂ、１２Ｃの順に小さくなっており、ロッドアンテナ１２を筐体１１内に収納する場合には、アンテナ軸１２Ｃがアンテナ軸１２Ｂの内部に収納され、アンテナ軸１２Ｂがアンテナ軸１２Ａの内部に収納される。ロッドアンテナ１２は、筐体１１から外部に伸長されている状態で、外部からの放送信号（例えば、ＶＨＦ、ＵＨＦなどのテレビジョン放送信号や、ＦＭなどのラジオ放送信号など）を受信する。一方、ロッドアンテナ１２は、筐体１１内に収納されている状態では、上記放送信号を受信できないか、あるいは、受信感度が非常に低くなり、ほとんど放送信号を受信できない。また、図１の例では、アンテナ軸１２Ａは、ヒンジ部１３を有しており、このヒンジ部１３を軸として折り曲げが可能となっている。さらに、ロッドアンテナ１２の先端部（筐体１１から離隔した方の先端部）、すなわち、アンテナ軸１２Ｃの先端部には、キャップ１４が設けられている。このキャップ１４は、ロッドアンテナ１２を筐体１１内に収納した際に、ロッドアンテナ１２を収納した状態で固定するストッパの役割も果たしている。なお、ロッドアンテナ１２は、通常、金属などの導体で形成されるが、キャップ１４は、導体で形成されてもよく、樹脂やゴムなどの不導体で形成されてもよい。また、ロッドアンテナ１２は、周囲が樹脂やゴムなどで被覆されていてもよい。
【００２２】
ディスプレイ１５は、筐体１１の正面に配置され、ロッドアンテナ１２により受信された放送信号のうち、チューナ（図示せず。）により選択されたチャンネルに係る映像信号に基づいて得られる画像を表示する。また、スピーカ１６は、筐体１１の外面に配置され、ロッドアンテナ１２により受信された放送信号のうち、チューナ（図示せず。）により選択されたチャンネルに係る音声信号に基づいて得られる音声を出力する。
【００２３】
図１の例では、操作ボタンとして、選択ボタン１７、音量調整ボタン１８、録画ボタン１９、ファンクションボタン２０及びメニューボタン２１が設けられている。選択ボタン１７は、受信された放送の中からユーザが番組を選局したり、メニューボタン２１により表示されたメニュー画面における各種項目をユーザが選択したりするためのボタンである。この選択ボタン部１７は、例えばスライド式のボタンであり、ガイド部１７Ａ内にて上下に移動する。音量調整ボタン１８は、スピーカ１６から出力される音量を大きくするための音量増大ボタン１８Ａと、スピーカ１６から出力される音量を小さくするための音量減少ボタン１８Ｂとからなる。録画ボタン１９は、受信された放送の中から選択された番組を録画するためのボタンである。ファンクションボタン２０は、例えば、テレビジョン放送を視聴するためのテレビジョンモードと、このテレビジョン放送を録画したものを視聴するためのビデオモードと、ＡＭラジオ放送を聴くためのＡＭモードと、ＦＭラジオ放送を聴くためのＦＭモードと、を切り替えるためのボタンである。メニューボタン２１は、ディスプレイ１５に各種メニュー画面を表示させるためのボタンである。
【００２４】
外部アンテナ端子２２は、携帯型テレビジョン受像機１０の底面に設けられており、後述するクレードル３０の外部アンテナ端子３２（図２を参照）と接続される。外部アンテナ端子２２は、このように外部アンテナ端子３２と接続された状態で、家庭用の屋外アンテナ等の外部アンテナにより受信された放送信号を、クレードル３０を介して取得する。また、図１の例では、電源用端子として、マイナス端子２３及びプラス端子２４が、携帯型テレビジョン受像機１０の底面に設けられている。このマイナス端子２３及びプラス端子２４は、それぞれ、後述するクレードル３０のマイナス端子３３及びプラス端子３４と接続され、クレードル３０から電源電圧が供給される。
【００２５】
＜クレードル３０の構成について＞
図２に示すように、クレードル３０は、クレードル本体３１と、外部アンテナ端子３２と、電源用端子と、外部入力用コネクタ３５と、ＤＣ電源用コネクタ３６と、を主に備える。
【００２６】
クレードル本体３１は、クレードル３０の筐体であり、図２の例では、略直方体の形状を有している。このクレードル本体３１の携帯型テレビジョン受像機１０が装着される面（図２では天面）には、外部アンテナ端子３２、マイナス端子３３及びプラス端子３４が設けられている。外部アンテナ端子３２は、外部入力用コネクタ３５の信号線（図示せず。）と接続されており、外部入力用コネクタ３５と接続された外部アンテナ（図示せず。）により受信された放送信号が供給される。この外部アンテナ端子３２は、上述したように、携帯型テレビジョン受像機１０の外部アンテナ端子２２と接続され、外部入浴用コネクタ３５を介して供給された放送信号を外部アンテナ端子２２に供給する。また、マイナス端子３３及びプラス端子３４は、ＤＣ電源用コネクタ３６と接続されており、ＤＣ電源用コネクタ３６を介して、外部から印加された電源電圧が供給される。このマイナス端子３３及びプラス端子３４は、それぞれ、上述したように、携帯型テレビジョン受像機１０のマイナス端子２３及びプラス端子２４と接続され、印加された電源電圧をマイナス端子２３及びプラス端子２４に供給する。
【００２７】
外部入力用コネクタ３５の例としては、Ｆ型コネクタ等が挙げられる。この外部入力用コネクタ３５は、例えば家庭内の壁面などに設けられた屋内配線端子などに接続され、ＶＨＦ、ＵＨＦ、ＢＳ（放送衛星）、ＣＳ（通信衛星）などのテレビジョン放送信号を受信する外部アンテナにより受信された放送信号が入力される。ＤＣ電源用コネクタ３６の例としては、ＤＣプラグ（図示せず。）と接続されるＤＣジャックなどが挙げられる。このＤＣ電源用コネクタ３６を介して外部から印加された電源電圧は、携帯型テレビジョン受像機１０がクレードル３０に装着されている場合に、携帯型テレビジョン受像機１０のマイナス端子２３及びプラス端子２４に供給される。
【００２８】
＜携帯型テレビジョン受像機の使用態様について＞
以上説明したような携帯型テレビジョン受像機１０においては、外出時などの携帯用途として使用する場合には、図１に示すように、ロッドアンテナ１２を筐体１１から伸長させた状態で使用し、このロッドアンテナ１２により外部からの放送信号を受信する。この場合は、上述したように、ロッドアンテナ１２は、外部アンテナ等と比較して受信感度が低く、必ずしも良好な受信状態で放送信号を受信できるとは限らない。従って、在宅時など携帯用途として使用する必要がない場合には、図３に示すように、携帯型テレビジョン受像機１０は、クレードル３０に装着された状態で使用される。この場合は、ロッドアンテナ１２は筐体１１内に収納され、携帯型テレビジョン受像機１０には、外部入力用コネクタ３５、外部アンテナ端子３２を介して、外部アンテナ端子３２と接触して導通した外部アンテナ端子２２から、外部アンテナにより受信された放送信号が供給される。従って、携帯型テレビジョン受像機１０は、クレードル３０に装着されている場合には、ユーザが放送信号の切替という行為を意識せずに、受信感度の良好な外部アンテナからの放送信号を安定した受信状態で得ることができる。
【００２９】
なお、携帯型テレビジョン受像機１０がクレードル３０に装着されている場合、ＤＣ電源用コネクタ３６を介して外部から電源電圧を印加することにより、携帯型テレビジョン受像機１０に電源電圧を供給して充電することができる。
【００３０】
ここで、図４を参照しながら、携帯型テレビジョン受像機１０において、２種類のアンテナ入力（この場合、ロッドアンテナ１２からの入力及び外部アンテナからの入力）が有る場合におけるアンテナ入力（２種類のアンテナにより受信された放送信号の出力）の切替方法について説明する。図４は、一般的な携帯型テレビジョン受像機１０のハードウェア構成を示すブロック図である。
【００３１】
図４に示すように、携帯型テレビジョン受像機１０は、切替スイッチ５１と、チューナ５２と、ＣＰＵ５３と、再生部５４と、表示部５５と、音声出力部５６と、を主に備える。
【００３２】
切替スイッチ５１は、ロッドアンテナ１２により受信された放送信号の出力と、外部アンテナにより受信された放送信号の出力とを切り替えることにより選択された放送信号をチューナ５２に出力する。チューナ５２は、切替スイッチ５１から出力された放送信号が入力され、入力された放送信号に含まれる複数のチャンネルの中から一のチャンネルを選択して、当該選択されたチャンネルに係る映像信号及び音声信号を再生部５４に出力する。ＣＰＵ５３は、主に、切替スイッチ５１の動作を制御するものであるが、詳しくは後述する。再生部５４は、チューナ５２から出力された映像信号及び音声信号を再生する。表示部５５は、再生部５４により再生された映像信号に基づく画像をディスプレイ１５（図１参照）に表示させる。音声出力部５６は、再生部５４により再生された音声信号に基づく音声をスピーカ１６（図１参照）に出力させる。
【００３３】
続いて、ＣＰＵ５３の機能の詳細について述べる。図４の例では、クレードル３０には、携帯型テレビジョン受像機１０がクレードル３０に装着されたことを検出する装着検出部６１が設けられている。そして、この装着検出部６１からＣＰＵ５３に対し、携帯型テレビジョン受像機１０がクレードル３０に装着されたことを示す検出信号が出力されると、ＣＰＵ５３は、この検出信号に基づいて、外部アンテナからの放送信号が出力されるように、切替スイッチ５１を外部アンテナ入力側に切り替える。一方、装着検出部６１からＣＰＵ５３に対し、携帯型テレビジョン受像機１０がクレードル３０から脱離されたことを示す検出信号が出力されると、ＣＰＵ５３は、この検出信号に基づいて、ロッドアンテナ１２からの放送信号が出力されるように、切替スイッチ５１をロッドアンテナ１２の入力側に切り替える。
【００３４】
このように、従来からある一般的な携帯型テレビジョン受像機１０においては、ロッドアンテナ１２からの放送信号と外部アンテナからの放送信号を切り替えるタイミングとして、携帯型テレビジョン受像機１０をクレードル３０に装着したことを検知して自動的に外部アンテナからの放送信号の出力に切り替えるという方式が採用されている。すなわち、携帯型テレビジョン受像機１０をクレードル３０に装着された場合には必ず、外部アンテナからの放送信号の出力に切り替えられることとなる。
【００３５】
しかしながら、携帯型テレビジョン受像機１０をクレードル３０に装着した場合に、必ず外部アンテナからの放送信号の出力に切り替えることとすると、クレードル３０に設けられた外部入力用コネクタ３５を外部アンテナからの入力を得るための端子（例えば、屋内配線端子）に接続していない場合でも、外部アンテナからの放送信号の出力に自動的に切り替えられてしまう。そのため、携帯型テレビジョン受像機１０をクレードル３０に装着した場合には、ロッドアンテナ１２による放送信号の受信ができなくなってしまう、という問題があった。
【００３６】
この問題を解消するために、携帯型テレビジョン受像機１０に、ロッドアンテナ１２からの放送信号の出力と外部アンテナからの放送信号の出力とを選択する機械的なスイッチを設けたり、ディスプレイ１５等に表示されたメニュー内で選択するソフトウェア的な選択手段を設けたりして、ユーザに選択可能なようにすることも考えられる。しかし、この場合には、携帯型テレビジョン受像機１０のユーザが、放送信号の出力の選択操作を頻繁に行うこととなり煩わしい。
【００３７】
また、上記のような放送信号の出力の切替スイッチ５１を設けた場合には、切替スイッチ５１による出力の切替の際に、受信した放送信号の電波が減衰し、その分受信感度が低下してしまう、という問題もあった。例えば、切替スイッチ５１として一般的なものを使用した場合には、ＵＨＦにおける電波は、０．５ｄＢ程度減衰してしまう。この電波の減衰は、特に、ワンセグ放送のように周波数帯域が狭い場合には、例えば０．５ｄＢ程度であっても、大きな受信感度の低下につながってしまう。
【００３８】
そこで、本発明の一実施形態に係る携帯型電子機器においては、切替スイッチ５１のような別途の切替手段を設けることなく、携帯型電子機器の筐体に収納されている付属アンテナを利用して、付属アンテナからの放送信号の出力と、外部アンテナからの放送信号の出力とを切り替えている。
【００３９】
（本発明の一実施形態に係る携帯型電子機器について）
以下、図５〜図８を参照しながら、本発明の一実施形態に係る携帯型電子機器として、携帯型テレビジョン受像機１００を例に挙げて説明する。図５及び図６は、携帯型テレビジョン受像機１００の構成を示す説明図であり、図５は、付属アンテナを伸長させた状態、図６は、付属アンテナを収納した状態を示している。また、図７及び図８は、本実施形態に付属アンテナの一例としてのロッドアンテナ１１０の構成を示す平面図であり、図７は筐体外に伸長させた状態、図８は筐体内に収納した状態を示している。なお、図５及び図６については、説明の都合上、筐体内部の構成を示しているが、外観構成については、一般的な携帯型テレビジョン受像機１０と同様にすることができる。また、本実施形態に係る携帯型テレビジョン受像機１００は、一般的なクレードル３０に装着することも可能であるが、後述するように、クレードル３０内に装着検出部６１を設ける必要はない。
【００４０】
＜携帯型電子機器１００の構成＞
図５及び図６に示すように、携帯型テレビジョン受像機１００は、筐体１０１と、本実施形態に係る付属アンテナの一例としてのロッドアンテナ１１０と、チューナ部１２０と、本実施形態に係る付属アンテナ接続部の一例としてのロッドアンテナ接続部１３０と、本実施形態に係る外部機器接続部の一例としての外部アンテナ端子１４０と、を主に備える。
【００４１】
筐体１０１は、携帯型テレビジョン受像機１００の外装部分であり、略直方体の形状をしている。
【００４２】
ロッドアンテナ１１０は、携帯型テレビジョン受像機１００の筐体１０１の内部への収納及び筐体１０１の外部への伸長が可能なように設けられ、第１の放送信号（例えば、ワンセグ放送用の放送信号、ＶＨＦ・ＵＨＦ等のテレビジョン放送信号など）を受信する。
【００４３】
ここで、ロッドアンテナ１１０の構成について、適宜図７及び図８を参照しながら詳細に説明する。ロッドアンテナ１１０は、筐体１０１内に伸縮可能に設置されており、本実施形態では、アンテナ本体１１１が、アンテナ軸１１１Ａ、アンテナ軸１１１Ｂ及びアンテナ軸１１１Ｃからなる三段構造となっている。アンテナ軸１１１Ａ、アンテナ軸１１１Ｂ及びアンテナ軸１１１Ｃは、軸径が１１１Ａ、１１１Ｂ、１１１Ｃの順に小さくなっており、ロッドアンテナ１１０を筐体１０１内に収納する場合には、アンテナ軸１１１Ｃがアンテナ軸１１１Ｂの内部に収納され、アンテナ軸１１１Ｂがアンテナ軸１１１Ａの内部に収納される。ロッドアンテナ１１０は、筐体１０１から外部に伸長されている状態で、外部からの第１の放送信号（例えば、ワンセグ放送用の放送信号や、ＶＨＦ、ＵＨＦなどのテレビジョン放送信号や、ＦＭなどのラジオ放送信号など）を受信する。一方、ロッドアンテナ１１０は、筐体１０１内に収納されている状態では、上記放送信号を受信できないか、あるいは、受信感度が非常に低くなり、ほとんど放送信号を受信できない。
【００４４】
本実施形態では、アンテナ軸１１１Ａは、ヒンジ部１１２を有しており、このヒンジ部１１２を軸として折り曲げが可能となっている。さらに、アンテナ本体１１１の先端部（筐体１０１から離隔した方の先端部）、すなわち、アンテナ軸１１１Ｃの先端部には、キャップ１１３が設けられている。なお、ロッドアンテナ１１０のアンテナ本体１１１は、金属などの導体で形成されているが、キャップ１４は、導体で形成されてもよく、樹脂やゴムなどの不導体で形成されてもよい。
【００４５】
また、図７に示すように、アンテナ本体１１１のキャップ１１３が設けられている方とは反対側の端部（アンテナ軸１１１Ａの後端部）には、ロッドアンテナ１１０を保持するホルダ１１４が装着されている。ホルダ１１４は、両端が開放された略円筒状の形状を有しており、その外周面にはねじ切りがされ、後述するアンテナ接続端子１３１と螺合可能となっている。また、ホルダ１１４の内周部の径は、アンテナ軸１１１Ａの軸径と略同一かそれよりもやや大きく形成されている。従って、ホルダ１１４は、アンテナ軸１１１Ａがホルダ１１４の内周部を移動可能となるように、ロッドアンテナ１１０を保持している。なお、ホルダ１１４も金属などの導体で形成される。
【００４６】
ここで、キャップ１１３の外径は、ホルダ１１４の内周部の径よりも大きく形成されている。従って、ロッドアンテナ１１０を筐体１０１内に収納した場合に、アンテナ本体１１１がホルダ１１４内を移動し、キャップ１１３とホルダ１１４の前端部とが接触することにより、ロッドアンテナ１１０がホルダ１１４から離脱することを防止することができる。すなわち、キャップ１１３は、ロッドアンテナ１１０を筐体１０１内に収納した際に、ロッドアンテナ１１０がホルダ１１４から離脱すること防止して、その位置を固定するストッパの役割も果たしている。
【００４７】
また、図８に示すように、アンテナ軸１１１Ａの後端部（筐体１０１に近い方の端部）は、その外径が、ホルダ１１４の内周部の径よりも大きくなるように形成されたストッパ１１５を有している。従って、ロッドアンテナ１１０を筐体１０１から外部に伸長した場合に、アンテナ本体１１１がホルダ１１４内を移動し、ストッパ１１５とホルダ１１４の後端部とが接触することにより、ロッドアンテナ１１０がホルダ１１４から離脱することを防止することができる。
【００４８】
本実施形態に係る携帯型テレビジョン受像機１１０では、このようなロッドアンテナ１１０の機構を利用して、外部アンテナ入力時に、ロッドアンテナ１１０をロッドアンテナ接続部１３０と外部アンテナ端子１４０との導通の手段として使用する。
【００４９】
以上、ロッドアンテナ１１０再び、図５及び図６を参照しながら、携帯型テレビジョン受像機１１０の構成の説明を続ける。
【００５０】
チューナ部１２０は、ロッドアンテナ１１０により受信された第１の放送信号又は外部アンテナにより受信された第２の放送信号（例えば、ＶＨＦ、ＵＨＦなどのテレビジョン放送信号や、地上波デジタル放送（１２セグメント）用の放送信号など）が入力される。チューナ部１２０は、入力された放送信号に含まれる複数のチャンネルの中から一のチャンネルを選局し、選局された放送信号を再生部（図示せず。図４を参照。）に出力する。このチューナ部１２０は、通常、プリント基板１０３に半田付け等により取り付けられている。
【００５１】
ロッドアンテナ接続部１３０は、ロッドアンテナ１１０とチューナ部１２０とを接続する。本実施形態では、ロッドアンテナ接続部１３０は、ホルダ１１４の外周部に螺合したアンテナ接続端子１３１と、プリント基板１０３に半田１３３により半田付けされたアンテナ−基板接続端子１３２と、からなる。アンテナ接続端子１３１は、金属などの導体で形成され、両端が開放された略円筒状の形状を有している。このアンテナ接続端子１３１の内周面にはねじ切りがされており、アンテナ接続端子１３１の内周面とホルダ１１４の外周面とが螺合する。また、アンテナ接続端子１３１の側面には、略水平方向に向かって突出した突出部１３１ａが設けられている。アンテナ−基板接続端子１３２は、一端がプリント基板１０３に半田付けされ、その先は、プリント基板１０３上でチューナ部１２０に接続されている。また、アンテナ−基板接続端子１３２の他端には、鉛直上向きに突出した突出部１３２ａが設けられており、突出部１３２ａは、アンテナ接続端子１３１の突出部１３１と、互いにある程度の押圧力がかかっている状態で当接している。
【００５２】
ここで、本実施形態では、アンテナ接続端子１３１の位置は固定されているため、このアンテナ接続端子１３１に螺合しているホルダ１１４の位置も固定される。また、アンテナ本体１１１、ホルダ１１４、アンテナ接続端子１３１、アンテナ−基板接続端子１３２、及び、アンテナ−基板接続端子１３２とチューナ部１２０とを接続する配線（図示せず）は、全て導体で形成されている。従って、アンテナ本体１１１（ストッパ１１５）→ホルダ１１４→アンテナ接続端子１３１→アンテナ−基板接続端子１３２→チューナ部１２０の経路で常時導通が取られていることとなる。すなわち、ロッドアンテナ接続部１３０は、ロッドアンテナ１１０（を保持しているホルダ１１４）とチューナ部１２０とを常時接続していることとなる。
【００５３】
外部アンテナ端子１４０は、携帯型テレビジョン受像機１００の筐体１０１と接続されたクレードル３０等の外部機器を介して、外部アンテナにより受信された第２の放送信号を受信する。この外部アンテナ端子１４０は、一端部１４０ａが筐体１０１の底面から露出しており、この露出した一端部１４０ａが、クレードル３０の外部アンテナ端子３２（図２を参照）と接続される。外部アンテナ端子１４０は、このように外部アンテナ端子３２と接続された状態で、家庭用の屋外アンテナ等の外部アンテナにより受信された放送信号を、クレードル３０を介して取得する。また、外部アンテナ端子１４０の他端部には、鉛直上向きに突出した突出部１４０ｂが設けられている。この突出部１４０ｂは、図６に示すように、ロッドアンテナ１１０が筐体１０１内に収納された状態で、アンテナ本体１１１（アンテナ軸１１１Ａ）の後端部と、互いにある程度の押圧力がかかっている状態で当接する。一方、突出部１４０ｂは、図５に示すように、ロッドアンテナ１１０が筐体１０１から外部に伸長された状態で、アンテナ本体１１１（アンテナ軸１１１Ａ）の後端部から離反する。
【００５４】
＜携帯型テレビジョン受像機１００の動作＞
以上、本実施形態に係る携帯型電子機器の一例としての携帯型テレビジョン受像機１００の構成について詳細に説明したが、続いて、このような構成を有する携帯型テレビジョン受像機１００の動作について説明する。
【００５５】
まず、ロッドアンテナ１１０を筐体１０１から伸長させた状態について説明する。図５に示すように、ロッドアンテナ１１０は伸長した状態であるので、携帯型テレビジョン受像機１００は、ロッドアンテナ１１０から放送信号を受信できる状態にある。また、図５では外観上視認できないが、ロッドアンテナ１１０が伸長した状態では、ロッドアンテナ１１０のストッパ１１５とホルダ１１４の後端部とが接触している。従って、ロッドアンテナ１１０のストッパ１１５→ホルダ１１４→アンテナ接続端子１３１→アンテナ−基板接続端子１３２→チューナ部１２０の経路で導通が取られることとなる。
【００５６】
よって、ロッドアンテナ１１０が伸長した状態では、ロッドアンテナ１１０により受信された電波（放送信号）が、ロッドアンテナ１１０のストッパ１１５→ホルダ１１４→アンテナ接続端子１３１→アンテナ−基板接続端子１３２→チューナ部１２０の経路を通り、チューナ部１２０に供給されることとなる。
【００５７】
次に、ロッドアンテナ１１０を筐体１０１内に収納させた状態について説明する。図６に示すように、ホルダ１１４の位置は固定されているため、ロッドアンテナ１１０を筐体１０１内に収納しても、ホルダ１１４の位置は固定されていて動かない。この状態で、ロッドアンテナ１１０が筐体１０１内に収納されると、アンテナ軸１１１Ｃがアンテナ軸１１１Ｂの内部に収納され、アンテナ軸１１１Ｂがアンテナ軸１１１Ａの内部に収納された状態で、アンテナ本体１１１（アンテナ軸１１１Ａ）の後端部が鉛直下向きに向かって移動する。キャップ１１３がホルダ１１４の前端部と接触するまでアンテナ本体１１１が移動すると、アンテナ本体１１１の後端部のストッパ１１５と外部アンテナ端子１４０の突出部１４０ｂとが接触する。このとき、キャップ１１３がホルダ１１４の前端部と接触するまでアンテナ本体１１１が移動したときのアンテナ本体１１１の後端部の位置よりも、外部アンテナ端子１４０の突出部１４０ｂの位置をやや高め（ホルダ１１４に近い側）に設定しておくことが好ましい。これにより、アンテナ本体１１１の後端部と外部アンテナ端子１４０の突出部１４０ｂとを、互いにある程度の押圧力がかかっている状態で接触させることができるので、ロッドアンテナ１１０と外部アンテナ端子１４０とを十分に導通させることができる。
【００５８】
このように、ロッドアンテナ１１０を筐体１０１内に収納した状態では、アンテナ本体１１１（アンテナ軸１１１Ａ）とホルダ１１４とで導通が取られているので、外部アンテナ端子１４０→ロッドアンテナ１１０（ストッパ１１５→アンテナ軸１１１Ａ）→ホルダ１１４→アンテナ接続端子１３１→アンテナ−基板接続端子１３２→チューナ部１２０の経路で導通が取られることとなる。
【００５９】
また、ロッドアンテナ１１０が収納された状態では、ロッドアンテナ１１０の受信感度は低く、微量に電波を受信しているが、この微量な電波で受信した映像信号を再生しても、ほとんど視聴できないような状態である。
【００６０】
よって、ロッドアンテナ１１０が収納された状態では、外部アンテナにより受信された電波（放送信号）が、クレードル３０の外部入力コネクタ３５及び外部アンテナ端子３２を介して、外部アンテナ端子１４０→ロッドアンテナ１１０（ストッパ１１５→アンテナ軸１１１Ａ）→ホルダ１１４→アンテナ接続端子１３１→アンテナ−基板接続端子１３２→チューナ部１２０の経路を通り、チューナ部１２０に供給されることとなる。なお、このとき、上述のように、ロッドアンテナ１１０も微量に電波を受信しているため、ロッドアンテナ１１０により受信された微量の電波もチューナ部１２０に供給されることとなるが、ロッドアンテナ１１０からの電波は非常に弱いため、外部アンテナからの電波にはほとんど影響を与えない。
【００６１】
＜携帯型テレビジョン受像機１００による作用効果＞
このように、通常は、ユーザは、携帯型テレビジョン受像機１００をクレードル３０に装着する場合には、ロッドアンテナ１１０を筐体１０１内に収納して使用するため、本実施形態に係る携帯型テレビジョン受像機１００によれば、アンテナ入力（放送信号の出力）の切替動作を意識することなく、安定した受信状態で外部アンテナにより受信された放送信号に基づく映像や音声を視聴することができる。
【００６２】
また、たとえクレードル３０の外部入力用端子３５と外部アンテナとを接続していない場合であっても、ロッドアンテナ１１０を筐体１０１から伸長させて携帯型テレビジョン受像機１００を使用することにより、ロッドアンテナ１１０により受信された放送信号に基づく映像や音声を視聴することができる。この場合、ユーザは、外部入力用端子３５と外部アンテナとを接続していないことを認識しているので、ロッドアンテナ１１０を伸長させた状態のまま、携帯型テレビジョン受像機１００をクレードル３０に装着することになるものと考えられる。
【００６３】
さらに、本実施形態に係る携帯型テレビジョン受像機１００によれば、一般的なロッドアンテナ１１０の機構を利用してロッドアンテナ１１０からの放送信号の出力と外部アンテナからの放送信号の出力とを切り替えているため、この切替のための手段を別途設ける必要がない。従って、切替手段による出力の切替の際に、受信した放送信号の電波が減衰し、その分受信感度が低下してしまうことを防止することができる。また、切替手段を別途設ける場合のように、部品点数が増えることもないので、当該切替手段の分のコストダウンも期待できる。
【００６４】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６５】
例えば、上述した実施形態においては、携帯型電子機器として携帯型テレビジョン受像機を例示して説明したが、携帯型電子機器としては、ＴＶ以外、例えば、ワンセグ放送受信機能を有する携帯電話機、パーソナルコンピュータ、携帯型ゲーム機、電子辞書などであってもよい。
【００６６】
また、上述した実施形態においては、プリント基板１０３の強度等の問題から、付属アンテナ接続部の一例として、アンテナ−基板接続端子１３２を介して、ホルダ１１４と螺合したアンテナ接続端子１３１とプリント基板１０３とが接続されている例を挙げて説明した。しかし、プリント基板１０３の強度の問題がクリアできれば、アンテナ−基板接続端子１３２を必ずしも設ける必要はなく、アンテナ接続端子１３１とプリント基板１０３とを直接接続するようにしてもよい。
【図面の簡単な説明】
【００６７】
【図１】Ａは、一般的な携帯型テレビジョン受像機の構成を示す正面図であり、Ｂは、一般的な携帯型テレビジョン受像機の構成を示す底面図である。
【図２】図１の携帯型テレビジョン受像機に接続されるクレードルの構成を示す斜視図である。
【図３】図１の携帯型テレビジョン受像機を図２のクレードルに装着した状態を示す正面図である。
【図４】一般的な携帯型テレビジョン受像機のハードウェア構成を示すブロック図である。
【図５】本発明の一実施形態に係る携帯型電子機器の構成を示す説明図である。
【図６】同実施形態に係る携帯型電子機器の構成を示す説明図である。
【図７】同実施形態に係る付属アンテナの構成を示す平面図である。
【図８】同実施形態に係る付属アンテナの構成を示す平面図である。
【符号の説明】
【００６８】
１００    携帯型テレビジョン受像機
１０１    筐体
１０３    基板
１１０    ロッドアンテナ
１１１    アンテナ本体
１１２    ヒンジ部
１１３    キャップ
１１４    ホルダ
１１５    ストッパ
１２０    チューナ部
１３０    ロッドアンテナ接続部
１３１    アンテナ接続端子
１３２    アンテナ−基板接続端子
１３３    半田
１４０    外部アンテナ端子
【図１】
2009290740.tif 000003
【図２】
2009290740.tif 000004
【図３】
2009290740.tif 000005
【図４】
2009290740.tif 000006
【図５】
2009290740.tif 000007
【図６】
2009290740.tif 000008
【図７】
2009290740.tif 000009
【図８】
2009290740.tif 000010